Podtech/llm-jp-corpus-v4-ja_patent huggingface dataset:
【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
外形形状がほぼ同一でデータビット数の異なる複数タイプのメモリカードのいずれも装着可能な可能なカードスロットと、
前記カードスロットに装着されているメモリカードのタイプを判別するタイプ判別手段と、
前記タイプ判別手段の判別結果に応じて、前記カードスロットに装着されているメモリカードとの間でデータ入出力するデータ幅を切り替えるデータ幅切り替え手段とを具備することを特徴とするカード利用装置。
【請求項２】
コマンドの送信に利用されるコマンドピン及びデータピンを含む第１のピン配置を有し、第１のデータビット数でのデータ入出力が可能な第１のメモリカードと、前記第１のメモリカードの前記第１のピン配置と共通のピン配置で且つ少なくとも前記コマンドピン及びデータピンが共通のピン配置を含む第２のピン配置を有し、前記第１のデータビット数より多い第２のデータビット数でのデータ入出力が可能な、外形形状が前記第１のメモリカードとほぼ同一の少なくとも１種類の第２のメモリカードのいずれも装着可能なカードスロットと、
前記カードスロットに装着されているメモリカードが前記第１のメモリカードであるとして立ち上げて、前記コマンドピンにステータス問い合わせのステータスコマンドを発行し、その応答を前記データピンから受け取ることで、当該カードのタイプを判別するタイプ判別手段と、
前記タイプ判別手段により前記第２のメモリカードであると判別された場合、前記第２のメモリカードの種類で決まるピン割り当てに変更して前記第２のメモリカードを利用するカード利用手段とを具備することを特徴とするカード利用装置。
【請求項３】
データピンとして割り当てられる第１のピンを含む第１のピン配置を有する第１のカードと、前記第１のピン配置と共通のピン配置、及び第２のピンが配置された前記第１のピン配置とは異なるピン配置を含む第２のピン配置を有し、外形形状が前記第１のカードとほぼ同一の第２のカードのいずれも装着可能なカードスロットと、
前記カードスロットに装着されているカードのタイプを判別するタイプ判別手段と、
前記カードスロットに装着されているカードが前記第２のカードであると前記タイプ判別手段によって判別された場合、当該第２のカードのピンのうち、前記第１のカードの前記第１のピンと物理位置が同一のピン、及び前記第２のピンをそれぞれデータピンとして割り当てて前記第２のカードを利用するカード利用手段とを具備することを特徴とするカード利用装置。
【請求項４】
前記第１のカードの前記第１のピン配置は、任意の目的で使用可能なリザーブピンを含み、
前記カード利用手段は、前記第２のカードのピンのうち、前記第１のカードの前記リザーブピンと物理位置が同一のピンもデータピンとして割り当てる
ことを特徴とする請求項３記載のカード利用装置。
【請求項５】
外形形状がほぼ同一でデータビット数の異なる複数タイプのメモリカードのいずれも装着可能な可能なカードスロットを備えたカード利用装置におけるカード利用方法であって、
前記カードスロットに装着されているメモリカードのタイプを判別し、
前記タイプ判別結果に応じて、前記カードスロットに装着されているメモリカードとの間でデータ入出力するデータ幅を切り替えて、当該カードを利用するようにしたことを特徴とするカード利用方法。
【請求項６】
コマンドの送信に利用されるコマンドピン及びデータピンを含む第１のピン配置を有し、第１のデータビット数でのデータ入出力が可能な第１のメモリカードと、前記第１のメモリカードの前記第１のピン配置と共通のピン配置で且つ少なくとも前記コマンドピン及びデータピンが共通のピン配置を含む第２のピン配置を有し、前記第１のデータビット数より多い第２のデータビット数でのデータ入出力が可能な、外形形状が前記第１のメモリカードとほぼ同一の少なくとも１種類の第２のメモリカードのいずれも装着可能なカードスロットを備えたカード利用装置におけるカード利用方法であって、
前記カードスロットに装着されているメモリカードが前記第１のメモリカードであるとして立ち上げて、前記コマンドピンにステータス問い合わせのステータスコマンドを発行し、その応答を前記データピンから受け取ることで、当該カードのタイプを判別し、
前記タイプ判別により前記第２のメモリカードであると判別された場合、前記第２のメモリカードの種類で決まるピン割り当てに変更して前記第２のメモリカードを利用するようにしたことを特徴とするカード利用方法。
【請求項７】
データピンとして割り当てられる第１のピンを含む第１のピン配置を有する第１のカードと、前記第１のピン配置と共通のピン配置、及び第２のピンが配置された前記第１のピン配置とは異なるピン配置を含む第２のピン配置を有し、外形形状が前記第１のカードとほぼ同一の第２のカードのいずれも装着可能なカードスロットを備えたカード利用装置におけるカード利用方法であって、
前記カードスロットに装着されているカードのタイプを判別し、
前記タイプ判別により前記第２のカードであると判別された場合、当該第２のカードのピンのうち、前記第１のカードの前記第１のピンと物理位置が同一のピン、及び前記第２のピンをそれぞれデータピンとして割り当てて前記第２のカードを利用するようにしたことを特徴とするカード利用方法。
【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  ネットワークに接続されている自プリンタとは異なる他のプリンタのサポートしているプロトコルと予め決められた優先順位の情報を格納するサブプリンタ情報格納部と、
前記自プリンタで印刷不可能な状態であった場合、前記サブプリンタ情報格納部の優先順位に基づいて、前記他のプリンタの中から当該自プリンタの代わりとなるプリンタを決定し、前記自プリンタへの印刷データを、前記自プリンタの代わりとなるプリンタのサポートしているプロトコルに変換するプロトコル制御部と、
前記プロトコル制御部で変換した印刷データを、前記代わりとなるプリンタに送信するデータ送信部とを備えたことを特徴とするネットワークプリンタ。
【請求項２】  ネットワークに接続されている自プリンタとは異なる他のプリンタのサポートしているエミュレーションの情報を格納するサブプリンタ情報格納部と、
前記自プリンタで印刷不可能な状態であった場合、前記自プリンタの代わりとなる前記他のプリンタのエミュレーションに変換するエミュレーション制御部と、
前記エミュレーション制御部でエミュレーションを変換した印刷データを、前記自プリンタの代わりとなる前記他のプリンタに送信するデータ送信部とを備えたことを特徴とするネットワークプリンタ。
【請求項３】  ネットワーク上のファイルサーバを検索するファイルサーバ検索部と、
自プリンタで印刷不可能な状態であった場合、当該自プリンタへの印刷データを、前記ファイルサーバ検索部で検索したファイルサーバ上にテンポラリデータとして保存し、前記自プリンタが印刷可能な状態に戻った場合に前記ファイルサーバから前記テンポラリデータを自プリンタで印刷するためのデータとして読み出すファイルロード部とを備えたことを特徴とするネットワークプリンタ。
【請求項４】  ネットワーク上を流れる印刷に使用される情報を印刷ログとして収集する印刷ログ収集部と、
自プリンタで印刷不可能な状態であった場合、前記印刷ログ収集部で収集した印刷ログに基づき、当該自プリンタ以外のプリンタから次の印刷先プリンタとしてふさわしいプリンタを検索する印刷ログ解析部と、
前記印刷ログ解析部で検索したプリンタに対して当該自プリンタへの印刷データを転送するデータ送信部とを備えたことを特徴とするネットワークプリンタ。
【請求項５】  請求項４に記載のネットワークプリンタにおいて、
ネットワーク上を流れる印刷要求元装置の電子メールアドレスの情報を収集する電子メール送信ログ収集部と、
他プリンタに対して印刷データを転送した場合、前記印刷要求元装置の電子メールアドレスに対して、転送した旨の電子メールを送信する電子メール送信ログ解析部とを備えたことを特徴とするネットワークプリンタ。
【請求項６】  ネットワークを介して印刷要求元装置からネットワークプリンタに印刷を要求するネットワーク印刷システムにおいて、
前記ネットワークプリンタは、
前記ネットワーク上を流れる印刷に使用される情報を印刷ログとして収集する印刷ログ収集部と、
自プリンタで印刷不可能な状態であった場合、前記印刷ログ収集部で収集した印刷ログに基づき、当該自プリンタ以外のプリンタから次の印刷先プリンタとしてふさわしいプリンタを検索する印刷ログ解析部と、
前記印刷ログ解析部で検索したプリンタに対して当該自プリンタへの印刷データを転送するデータ送信部と、
前記データ送信部から印刷データを送信したプリンタの情報を、ポップアップ・メッセージとして前記印刷要求元装置に送るポップアップ・メッセージ送信部とを備え、
前記印刷要求元装置は、
前記ネットワークプリンタから送信されたポップアップ・メッセージを受信するポップアップ・メッセージ受信部と、
前記ポップアップ・メッセージ受信部で受信したポップアップ・メッセージを表示するポップアップ・メッセージ制御部とを備えたことを特徴とするネットワーク印刷システム。
【手続補正２】
【補正対象書類名】明細書
【補正対象項目名】００１１
【補正方法】変更
【補正の内容】
【００１１】
〈構成２〉
ネットワークに接続されている自プリンタとは異なる他のプリンタのサポートしているエミュレーションの情報を格納するサブプリンタ情報格納部と、自プリンタで印刷不可能な状態であった場合、自プリンタの代わりとなる他のプリンタのエミュレーションに変換するエミュレーション制御部と、エミュレーション制御部でエミュレーションを変換した印刷データを、自プリンタの代わりとなる他のプリンタに送信するデータ送信部とを備えたことを特徴とするネットワークプリンタ。
【手続補正書】
【提出日】平成16年4月2日(2004.4.2)
【手続補正１】
【補正対象書類名】明細書
【補正対象項目名】００５７
【補正方法】変更
【補正の内容】
【００５７】
以上説明したように、本発明の画像処理装置によれば、合成画像を表示するための表示手段と、表示された合成画像における一部分を指定する指定手段と、指定された一部分の合成を修正する修正手段とを備えるから、修正が必要な箇所だけを指定して修正することができ、合成処理を始めからやり直すことなく、手間を掛けずに合成画像の修正を簡単に行うことができる。


【手続補正２】
【補正対象書類名】明細書
【補正対象項目名】００８０
【補正方法】変更
【補正の内容】
【００８０】
さらに、プログラムは、合成画像を修正する際に該修正に関する操作方法を説明する説明文とアニメーションの内の少なくとも１つを表示手段に表示する操作支援モジュールを有することによって、ユーザによる合成画像の修正に関する操作を支援することができ、操作環境の向上を図ることができる。
【発明の効果】
以上説明したように、本発明によれば、手間を掛けずに、合成画像の修正を簡単に行うことができる。
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
冗長回路をそれぞれが有する複数のメモリブロックと、
上記複数のメモリブロックのそれぞれに対応して設けられ、不良アドレス記憶素子に登録された不良アドレス信号と入力されたアドレス信号とを比較するアドレス比較回路と、
上記複数のメモリブロックのアドレス比較回路に共通に設けられた上記不良アドレス記憶素子とを有し、
上記複数のメモリブロックは、それぞれ異なるアドレスを与えることができる複数のアドレス供給部を有することを特徴とする半導体記憶装置。
【請求項２】
請求項１において、
上記複数のメモリブロックは、奇数アドレスが割り当てられた第１メモリブロックと、偶数アドレスが割り当てられた第２メモリブロックからなり、
上記第１と第２のメモリブロックを同時に選択して複数ビットからなるメモリセルを選択し、
上記選択されたメモリセルに対応する複数ビットのデータは、読み出し動作のときには上記第１メモリブロックと第２メモリブロックにおいてパラレル／シリアル変換され、かつ、交互に共通の出力回路を通して出力され、書き込み動作のときには上記共通の入力回路を通して入力されたデータが交互に振り分けられてシリアル／パラレル変換されて、かつ、第１と第２のメモリブロックの選択されたメモリセルにパラレルに書き込まれることを特徴とする半導体記憶装置。
【請求項３】
請求項２において、
上記第１と第２のメモリブロックは、
複数からなるダイナミック型メモリセルのアドレス選択端子がそれぞれに接続されてなる複数のワード線と、
複数からなるダイナミック型メモリセルがそれぞれに接続されてなる複数対の相補ビット線対と、
動作タイミング信号に対応して動作電圧が与えられ、上記相補ビット線対の信号をそれぞれ増幅する複数からなるラッチ回路からなるセンスアンプと、
上記ワード線と相補ビット線を選択し、センスアンプを動作させるアドレス選択回路を備え、
上記共通の入力及び出力回路を通して交互に入力又は出力されるデータは、外部端子から供給されたクロック信号の立ち上がりと立ち下がりに対応して入力又は出力されるものであることを特徴とする半導体記憶装置。
【請求項４】
請求項１において、
上記不良アドレス記憶素子に記憶された不良アドレスは、上記複数のメモリブロックの上記アドレス比較回路に対して共通に供給されて、それぞれ対応する冗長回路に置き換えられることを特徴とする半導体記憶装置。
【請求項５】
請求項１において、
上記不良アドレス記憶素子に記憶れた不良アドレスは、上記複数のメモリブロックの上記アドレス比較回路に対して共通に供給され、
上記各メモリブロックに設けられたアドレス比較回路には、上記不良アドレスを有効とするか無効とするかの情報ビットを記憶する記憶素子が割り当てられてなることを特徴とする半導体記憶装置。
【請求項６】
請求項４ないし５のいずれかにおいて、
上記冗長回路は、ビット線不良を救済するものであることを特徴とする半導体記憶装置。
【請求項７】
請求項１において、
複数のメモリブロックは、同時に並行したメモリアクセスが可能とされるメモリバンクを構成するものであることを特徴とする半導体記憶装置。
【請求項８】
請求項７において、
上記不良アドレス記憶素子に記憶された不良アドレスは、上記複数のメモリバンクの上記アドレス比較回路に対して共通に供給されて、それぞれ対応する冗長回路に置き換えられることを特徴とする半導体記憶装置。
【請求項９】
請求項７において、
上記不良アドレス記憶素子に記憶れた不良アドレスは、上記複数のメモリバンクの上記アドレス比較回路に対して共通に供給され、
上記各メモリバンクに設けられたアドレス比較回路には、上記不良アドレスを有効とするか無効とするかの情報ビットを記憶する記憶素子が割り当てられてなることを特徴とする半導体記憶装置。
【請求項１０】
請求項８又は９において、
上記冗長回路は、ワード線不良を救済するものを含むことを特徴とする半導体記憶装置。
【請求項１１】
請求項１０において、
上記複数のメモリバンクのそれぞれは、奇数アドレスが割り当てられた第１メモリブロックと、偶数アドレスが割り当てられた第２メモリブロックを備え、
上記第１と第２のメモリブロックは、それぞれがビット線不良を救済する冗長回路を備え、
上記複数のメモリバンクは、上記第１と第２のメモリブロックを同時に選択して複数ビットからなるメモリセルを選択し、
共通の入力回路及び出力回路でのメモリバンク間のデータの衝突が無いことを条件として、上記選択されたメモリセルに対応する複数ビットのデータを、読み出し動作のときには上記第１メモリブロックと第２メモリブロックにおいてパラレル／シリアル変換され、かつ、交互に共通の出力回路を通して出力し、書き込み動作のときには上記共通の入力回路を通して入力されたデータが交互に振り分けられてシリアル／パラレル変換されて、かつ、第１と第２のメモリブロックの選択されたメモリセルにパラレルに書き込まれることを特徴とする半導体記憶装置。
【請求項１２】
複数の第１線と、上記複数の第１線に結合された複数の第１メモリセルと、第１冗長線と、上記第１冗長線に結合された複数の第１冗長メモリセルとを含む第１メモリブロックと、
複数の第２線と、上記複数の第２線に結合された複数の第２メモリセルと、第２冗長線と、上記第２冗長線に結合された複数の第２冗長メモリセルとを含む第２メモリブロックと、
第１アドレス信号と第２アドレス信号とを受け、上記記第１アドレス信号と上記第２アドレス信号とが不一致の場合、上記第２アドレス信号に従つて上記複数の第１線のうちの１つを選択し、上記第１アドレス信号と上記第２アドレス信号とが一致した場合、上記第１冗長線を選択する第１回路と、
上記第１アドレス信号と第３アドレス信号とを受け、上記第１アドレス信号と上記第３アドレス信号とが不一致の場合、上記第３アドレス信号に従つて上記複数の第２線のうちの１つを選択し、上記第１アドレス信号と上記第３アドレス信号とが一致した場合、上記第２冗長線を選択する第２回路と、
上記第１及び第２回路に与えられる上記第１アドレス信号を保持する共通の記憶回路とを含むことを特徴とする半導体装置。
【請求項１３】
請求項１２において、
上記複数の第１線及び上記複数の第２線は、ビット線であり、
上記記憶回路は、不良アドレス信号記憶回路であり、
上記第１アドレス信号は、不良アドレス信号であり、
上記不良アドレス信号と上記第２アドレス信号とが不一致の場合、上記第１冗長線は非選択とされ、上記不良アドレス信号と上記第２アドレス信号とが一致した場合、上記複数の第１線は非選択とされ、
上記不良アドレス信号と上記第３アドレス信号とが不―致の場合、上記第２冗長線は非選択とされ、上記不良アドレス信号と上記第３アドレス信号とが―致した場合、上記複数の第２線は非選択とされることを特徴とする半導体装置。
【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
複数のメモリセルからなるセルアレイと、
前記複数のメモリセルに記憶された各データを検出する複数のセンスアンプと、
前記複数のセンスアンプに接続され、相／補の信号を出力する第１，第２の出力端子をそれぞれに有する複数の増幅器と、
前記複数の増幅器の、前記第１の出力端子に一端が接続された複数の第１の信号線と、
前記複数の増幅器のうち、少なくとも１つの増幅器の前記第２の出力端子に一端が接続された、少なくとも１つの第２の信号線と、
前記複数の第１の信号線および前記少なくとも１つの第２の信号線に接続され、前記セルアレイより同時に読み出された各データの一致／不一致を判定する、少なくとも１つの判定回路と
を具備したことを特徴とする半導体記憶装置。
【請求項２】
前記複数のメモリセルは、複数のビット線と複数のワード線との各交点に配置されていることを特徴とする請求項１に記載の半導体記憶装置。
【請求項３】
前記複数のメモリセルは行・列状に配置され、マトリックスを形成していることを特徴とする請求項２に記載の半導体記憶装置。
【請求項４】
前記複数の第１の信号線は、前記少なくとも１つの第２の信号線の本数よりも多く設けられていることを特徴とする請求項１に記載の半導体記憶装置。
【請求項５】
前記複数の第１の信号線は、前記セルアレイより同時に読み出されるデータの最大数の分だけ設けられていることを特徴とする請求項４に記載の半導体記憶装置。
【請求項６】
前記データの最大数と同数の増幅器からなる増幅器群の、前記第１の出力端子が前記複数の第１の信号線にそれぞれ接続されるように、前記増幅器群の各増幅器の前記第１の出力端子が前記複数の第１の信号線にインクリメント接続されていることを特徴とする請求項５に記載の半導体記憶装置。
【請求項７】
前記少なくとも１つの第２の信号線は、圧縮データを構成するデータ数の分だけ設けられることを特徴とする請求項４に記載の半導体記憶装置。
【請求項８】
前記圧縮データを構成するデータ数と同数の増幅器からなる増幅器群の、前記第２の出力端子が前記少なくとも１つの第２の信号線にそれぞれ接続されるように、前記増幅器群の各増幅器の前記第２の出力端子が前記少なくとも１つの第２の信号線にインクリメント接続されていることを特徴とする請求項７に記載の半導体記憶装置。
【請求項９】
前記少なくとも１つの第２の信号線は、前記セルアレイより読み出されたデータを多重化するのに用いられることを特徴とする請求項４に記載の半導体記憶装置。
【請求項１０】
前記セルアレイよりデータを読み出す前に、前記複数の第１の信号線および前記少なくとも１つの第２の信号線は同電位にプリチャージされることを特徴とする請求項１に記載の半導体記憶装置。
【手続補正２】
【補正対象書類名】明細書
【補正対象項目名】００３４
【補正方法】変更
【補正の内容】
【００３４】
【課題を解決するための手段】
本願発明の一態様によれば、複数のメモリセルからなるセルアレイと、前記複数のメモリセルに記憶された各データを検出する複数のセンスアンプと、前記複数のセンスアンプに接続され、相／補の信号を出力する第１，第２の出力端子をそれぞれに有する複数の増幅器と、前記複数の増幅器の、前記第１の出力端子に一端が接続された複数の第１の信号線と、前記複数の増幅器のうち、少なくとも１つの増幅器の前記第２の出力端子に一端が接続された、少なくとも１つの第２の信号線と、前記複数の第１の信号線および前記少なくとも１つの第２の信号線に接続され、前記セルアレイより同時に読み出された各データの一致／不一致を判定する、少なくとも１つの判定回路とを具備したことを特徴とする半導体記憶装置が提供される。
【手続補正３】
【補正対象書類名】明細書
【補正対象項目名】００３５
【補正方法】変更
【補正の内容】
【００３５】
上記のような構成によれば、増幅器と第１，第２の信号線との接続を工夫することによって、信号線の本数を減少できるようになる。これにより、同時に読み出すべきデータのビット数が多い場合にも、配線層領域が増大するのを抑えつつ、効率の良いデータ圧縮テストを実現することが可能となるものである。
【手続補正書】
【提出日】平成17年6月7日(2005.6.7)
【手続補正１】
【補正対象書類名】特許請求の範囲
【補正対象項目名】全文
【補正方法】変更
【補正の内容】
【特許請求の範囲】
【請求項１】
ピーマンの種子、胎座及び隔壁からなることを特徴とする粉末。
【請求項２】
ピーマンの種子、胎座及び隔壁よりなる混合物から得られることを特徴とする搾汁液及び破砕物。
【請求項３】
血液の循環を活発にする物質を有することを特徴とする、請求項１記載の粉末。
【請求項４】
血液の循環を活発にする物質を有することを特徴とする、請求項２記載の搾汁液及び破砕物。
【請求項５】
請求項１記載の粉末、又は請求項２記載の搾汁液及び破砕物を含有することを特徴とする飲食品。
【請求項６】
飲食品が、調味料、その他の加工食品、健康食品、特定保健用食品、栄養補助食品及び機能性食品のいずれかであることを特徴とする請求項５記載の飲食品。
【請求項７】
ピーマンの種子、胎座及び隔壁よりなる粉末又はそれらの混合物から得られる搾汁液及び破砕物を含有することを特徴とする血液循環活発剤。
【請求項８】
ピーマンの種子、胎座及び隔壁よりなる粉末又はそれらの混合物から得られる搾汁液及び破砕物を含有することを特徴とする冷え症の予防治療剤。
【手続補正２】
【補正対象書類名】明細書
【補正対象項目名】０００４
【補正方法】変更
【補正の内容】
【０００４】
【課題を解決するための手段】
本発明者は、上記課題を解決すべく鋭意努力した結果ピーマンの種子と胎座と隔壁を粉砕機で粉末化処理をして粉末を完成した。またミキサーで破砕し破砕物と搾汁液にして本発明を完成した。本発明によって得られたピーマンの種子と胎座と隔壁の粉末、搾汁液及び破砕物は調味料、その他加工食品、健康食品、特定保健用食品、栄養補助食品、機能性食品もしくは血液循環活発剤、冷え症の予防治療剤として用いることができ、及びそれら食品の配合用さらに医薬品とその原料として用いることができる。
【手続補正３】
【補正対象書類名】明細書
【補正対象項目名】図面の簡単な説明
【補正方法】変更
【補正の内容】
【図面の簡単な説明】
【図１】ピーマンの種子と胎座の縦断面図である。
【符号の説明】
１  果実
２  種子
３  種子部
４  胎座
５  隔壁
【手続補正４】
【補正対象書類名】図面
【補正対象項目名】図１
【補正方法】変更
【補正の内容】
【図１】
2000300221.tif 000001
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】
所定の始動条件の成立に基づいて図柄合わせゲームを実行し、その実行結果が当たりのとき、遊技者に有利な特別価値を付与する遊技機において、
該遊技機の制御部は、前記図柄合わせゲームを展開表示するための可変表示領域を縦横のマトリスク状に配置した可変表示手段と、該可変表示手段における図柄を所定期間に渡って変動表示し各図柄を順次図柄を停止表示させることを前記図柄合わせゲームとして実行する図柄合わせゲーム実行手段と、
前記可変表示手段は、可変表示手段に表示される図柄を先行表示するための図柄先行表示部を有するとともに、該図柄先行表示部の表示内容を制御する先行表示制御手段を有し、
該先行表示制御手段は、前記図柄先行表示部に表示される図柄を縦横のマトリスク状に配置した可変表示領域へ移動制御することを特徴とする遊技機。
【請求項２】
前記先行表示制御手段は、前記縦横のマトリスク状に配置した可変表示領域において予め定めた特定の図柄が少なくともリーチ状態が形成されたときのみ、前記図柄先行表示部に、先行する図柄を表示することを特徴とする請求項１に記載の遊技機。
【請求項３】
前記先行表示制御手段は、前記図柄先行表示部に前記縦横のマトリスク状に配置した可変表示領域の上流側に前記マトリスク状に対応して複数の表示領域に図柄を表示することを特徴とする請求項１、または２に記載の遊技機。
【請求項４】
前記図柄先行表示部に表示される図柄は、不規則な順位で配列されていることを特徴とする請求項１、２または３に記載の遊技機。
【手続補正２】
【補正対象書類名】明細書
【補正対象項目名】０００７
【補正方法】変更
【補正の内容】
【０００７】
【課題を解決するための手段】
かかる目的を達成するための本発明の要旨とするところは、次の各項の発明に存する。
［１］所定の始動条件の成立に基づいて図柄合わせゲームを実行し、その実行結果が当たりのとき、遊技者に有利な特別価値を付与する遊技機において、
該遊技機の制御部（８０）は、前記図柄合わせゲームを展開表示するための可変表示領域（３１〜３３）を縦横のマトリスク状に配置した可変表示手段（３０）と、該可変表示手段（３０）における図柄を所定期間に渡って変動表示し各図柄を順次図柄を停止表示させることを前記図柄合わせゲームとして実行する図柄合わせゲーム実行手段（８１）と、
前記可変表示手段（３０）は、可変表示手段（３０）に表示される図柄を先行表示するための図柄先行表示部（４１〜４３）を有するとともに、該図柄先行表示部（４１〜４３）の表示内容を制御する先行表示制御手段（８３）を有し、
該先行表示制御手段（８３）は、前記図柄先行表示部（４１〜４３）に表示される図柄を縦横のマトリスク状に配置した可変表示領域（３１〜３３）へ移動制御することを特徴とする遊技機。
【手続補正３】
【補正対象書類名】明細書
【補正対象項目名】０００８
【補正方法】変更
【補正の内容】
【０００８】
［２］前記先行表示制御手段（８３）は、前記縦横のマトリスク状に配置した可変表示領域（３１〜３３）において予め定めた特定の図柄が少なくともリーチ状態が形成されたときのみ、前記図柄先行表示部（４１〜４３）に、先行する図柄を表示することを特徴とする［１］に記載の遊技機。 
【手続補正４】
【補正対象書類名】明細書
【補正対象項目名】０００９
【補正方法】変更
【補正の内容】
【０００９】
［３］前記先行表示制御手段（８３）は、前記図柄先行表示部（４１〜４３）に前記縦横のマトリスク状に配置した可変表示領域（３１〜３３）の上流側に前記マトリスク状に対応して複数の表示領域に図柄を表示することを特徴とする［１］または［２］に記載の遊技機。
【手続補正５】
【補正対象書類名】明細書
【補正対象項目名】００１０
【補正方法】変更
【補正の内容】
【００１０】
［４］前記図柄先行表示部（４２〜４３）に表示される図柄は、不規則な順位で配列されていることを特徴とする［１］、［２］または［３］に記載の遊技機。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
前記本発明は次のように作用する。
図柄合わせゲーム実行手段は、図柄が、所定方向に移動（スクロール）する様子を所定期間にわたって可変表示手段（３０）の可変表示領域である各図柄表示部（３１〜３３）（以下、単に図柄表示部という。）に表示した後に、いずれかの図柄表示部（３１〜３３）から順に図柄を停止表示することを図柄合わせゲームとして実行する。この図柄合わせゲームは、全ての図柄が停止表示された際に予め定めた特定停止態様が可変表示手段（３０）上に形成された際に当たりが出現するようになっている。
【手続補正１０】
【補正対象書類名】明細書
【補正対象項目名】００５８
【補正方法】変更
【補正の内容】
【００５８】
【発明の効果】
本発明にかかる遊技機によれば、縦横のマトリスク上に配置した可変表示手段に表示される図柄を先行表示するための図柄先行表示部に現れる図柄を図柄先行表示部に先行表示するので、図柄表示部にどの図柄が停止表示されるかを図柄先行表示部の表示内容を見ることである程度前の段階から予測することができるとともに、リーチ状態が形成されたときのみ前記図柄先行表示部に、先行する図柄を表示したり、図柄先行表示部に表示される図柄を、不規則な順位で配列することにより遊技者に対して変化のある遊技内容を提供できる。
【手続補正１１】
【補正対象書類名】明細書
【補正対象項目名】符号の説明
【補正方法】変更
【補正の内容】
【符号の説明】
１０…遊技機
３０…可変表示手段
３１〜３３…各図柄表示部（可変表示領域）
４１〜４３…図柄先行表示部
５０…保留玉表示部
６０…始動入賞口
７０…可変入賞口
７１…開閉板
８０…制御部
８１…図柄合わせゲーム実行手段
８２…無作為抽選部
８３…先行表示制御手段
８４…特別価値付与制御手段
８５…保留玉計数手段
【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】
所定の始動条件に基づいて、変動可能な複数の図柄の表示状態を表示する可変表示手段と、該複数の図柄の表示結果が予め定められた当選停止態様で停止すると当たりとなる図柄合わせゲーム実行手段を有する遊技機において、
該遊技機の制御部は、あと１つ所定の図柄が揃うと前記当選停止態様になるリーチ状態の出現を予告するリーチ予告手段を有し、該リーチ予告手段は、前記図柄合わせゲームの実行結果として前記リーチ状態を経由しない外れの状態を所定の出現パターン遷移規則に従って複数回連続出現させることで、前記リーチ状態が近く出現することを遊技者に予告することを特徴とする遊技機。
【請求項２】
所定の始動条件に基づいて、変動可能な複数の図柄の表示状態を表示する可変表示手段と、該複数の図柄の表示結果が予め定められた当選停止態様で停止すると当たりとなる図柄合わせゲーム実行手段を有する遊技機において、
該遊技機の制御部は、当たりの出現を予告する当選予告手段を有し、該当選予告手段は、所定の出現パターン遷移規則に従って外れの状態を複数回連続出現させることで、前記当たり状態が近く出現することを遊技者に予告することを特徴とする遊技機。
【請求項３】
所定の始動条件に基づいて、変動可能な複数の図柄の表示状態を表示する可変表示手段と、該複数の図柄の表示結果が予め定められた当選停止態様で停止すると当たりとなる図柄合わせゲーム実行手段を有する遊技機において、
該遊技機の制御部は、あと１つ所定の図柄が揃うと前記当選停止態様になるリーチ状態の出現を予告するリーチ予告手段と、前記当たりの出現を予告する当選予告手段とを含み、
前記リーチ予告手段は、前記図柄合わせゲームの実行結果として前記リーチ状態を経由しない外れの状態を所定の出現パターン遷移規則に従って複数回連続出現させることで、前記リーチ状態が近く出現することを遊技者に予告するとともに、
前記当選予告手段は、所定の出現パターン遷移規則に従って外れの状態を複数回連続出現させることで、前記当たり状態が近く出現することを遊技者に予告することを特徴とする遊技機。
【請求項４】
前記図柄合わせゲーム実行手段は、前記予告が行われたときその予告内容に従う実行結果を必ず出現させることを特徴とする請求項１、２または３に記載の遊技機。
【請求項５】
前記予告に用いる図柄は、絵柄部分と文字部分とを組合わせた複合図柄であることを特徴とする請求項１、２、３または４に記載の遊技機。
【手続補正２】
【補正対象書類名】明細書
【補正対象項目名】０００６
【補正方法】変更
【補正の内容】
【０００６】
本発明は、このような従来の技術が有する問題点に着目してなされたもので、遊技者の当たり等に対する期待感を従来よりも長い時間をかけて徐々に喚起することができるとともに、その期待感を裏切らない遊技機および当たりの出現パターンが変化に富む遊技機を提供することを目的としている。
【手続補正３】
【補正対象書類名】明細書
【補正対象項目名】０００７
【補正方法】変更
【補正の内容】
【０００７】
【課題を解決するための手段】
かかる目的を達成するための本発明の要旨とするところは、次の各項の発明に存する。
［１］所定の始動条件に基づいて、変動可能な複数の図柄の表示状態を表示する可変表示手段（３０）と、該複数の図柄の表示結果が予め定められた当選停止態様で停止すると当たりとなる図柄合わせゲーム実行手段（１１０）を有する遊技機（１０）において、
該遊技機（１０）の制御部（１００）は、あと１つ所定の図柄が揃うと前記当選停止態様になるリーチ状態の出現を予告するリーチ予告手段（１２０）を有し、該リーチ予告手段（１２０）は、前記図柄合わせゲームの実行結果として前記リーチ状態を経由しない外れの状態を所定の出現パターン遷移規則に従って複数回連続出現させることで、前記リーチ状態が近く出現することを遊技者に予告することを特徴とする遊技機（１０）。
【手続補正４】
【補正対象書類名】明細書
【補正対象項目名】０００８
【補正方法】変更
【補正の内容】
【０００８】
［２］所定の始動条件に基づいて、変動可能な複数の図柄の表示状態を表示する可変表示手段（３０）と、該複数の図柄の表示結果が予め定められた当選停止態様で停止すると当たりとなる図柄合わせゲーム実行手段（１１０）を有する遊技機（１０）において、
該遊技機（１０）の制御部（１００）は、当たりの出現を予告する当選予告手段（１３０）を有し、該当選予告手段（１３０）は、所定の出現パターン遷移規則に従って外れの状態を複数回連続出現させることで、前記当たり状態が近く出現することを遊技者に予告することを特徴とする遊技機（１０）。
【手続補正５】
【補正対象書類名】明細書
【補正対象項目名】０００９
【補正方法】変更
【補正の内容】
【０００９】
［３］所定の始動条件に基づいて、変動可能な複数の図柄の表示状態を表示する可変表示手段（３０）と、該複数の図柄の表示結果が予め定められた当選停止態様で停止すると当たりとなる図柄合わせゲーム実行手段（１１０）を有する遊技機（１０）において、
該遊技機（１０）の制御部（１００）は、あと１つ所定の図柄が揃うと前記当選停止態様になるリーチ状態の出現を予告するリーチ予告手段（１２０）と、前記当たりの出現を予告する当選予告手段（１３０）とを含み、
前記リーチ予告手段（１２０）は、前記図柄合わせゲームの実行結果として前記リーチ状態を経由しない外れの状態を所定の出現パターン遷移規則に従って複数回連続出現させることで、前記リーチ状態が近く出現することを遊技者に予告するとともに、
前記当選予告手段（１３０）は、所定の出現パターン遷移規則に従って外れの状態を複数回連続出現させることで、前記当たり状態が近く出現することを遊技者に予告することを特徴とする遊技機（１０）。
【手続補正６】
【補正対象書類名】明細書
【補正対象項目名】００１７
【補正方法】変更
【補正の内容】
【００１７】
このようにリーチ状態の出現を予告し、さらにそのリーチ状態の出現態様の遷移によって当たりの出現を予告するので、遊技者の当たりへの期待感を長い時間をかけて徐々に喚起することができる。
【手続補正７】
【補正対象書類名】明細書
【補正対象項目名】００５６
【補正方法】変更
【補正の内容】
【００５６】
【発明の効果】
本発明にかかるに遊技機によれば、図柄合わせゲームの実行結果が複数回にわたってどのように遷移するかによってリーチ状態や当たりの出現を遊技者に予告するので、遊技者の当たり等に対する期待感を長い時間をかけて徐々に喚起することができる。また、当たりの出現時期が近づいているにもかかわらず遊技者が遊技を途中でやめてしまうような事態を防止することができる。
【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
炭素繊維の造粒物及び／又は繊維と、微生物含有物質とを必須成分とし、且つその水分含有率を４０〜８０％に調整された脱臭材料を用い、
前記脱臭材料に処理される悪臭ガスを接触させて脱臭することを特徴とする悪臭ガスの脱臭方法。
【請求項２】
請求項１記載の脱臭方法において、
前記脱臭材料が、もみ殻、ハイオガ、おがくず、いねワラから選ばれた１種又は２種以上の有機物を含有していることを特徴とする脱臭方法。
【請求項３】
請求項１または２記載の脱臭方法において、
前記微生物含有物質が、家畜の糞尿、活性汚泥、又は下水もしくは糞尿の処理施設から出る微生物を含有した物質であることを特徴とする脱臭方法。
【請求項４】
槽内の充填層に脱臭材料を配設し、この脱臭材料に処理される悪臭ガスを接触させて脱臭するための悪臭ガスの脱臭装置であって、
前記脱臭材料は、
炭素繊維の造粒物及び／又は繊維と、微生物含有物質との混合物からなるか、
または、炭素繊維の造粒物及び／又は繊維と、微生物含有物質と、有機物とのの混合物からなり、
前記脱臭装置は、
前記脱臭材料の水分含有率の調整手段、温度・水分及びｐＨの検出器、槽内の上部に散水装置、下部に悪臭ガス挿入口が設けられている、
ことを特徴とする悪臭ガスの脱臭装置。
【手続補正２】
【補正対象書類名】明細書
【補正対象項目名】００１２
【補正方法】変更
【補正の内容】
【００１２】
この炭素繊維の造粒物と繊維状のものとを混合してもよく、その場合、炭素繊維の造粒物と繊維の混合割合は、造粒物が増加するに従って、通気抵抗が低下し、圧密化を防げるが、一方、増加し過ぎると脱臭能力が低下するので、好ましい範囲が存在し、その範囲は乾物重量比で造粒物０．７：繊維０．３である。両者を混合するには、一般的にいわれている混合機、例えばモルタルミキサー等を使用して、容易に行うことができる。
【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
傾動フレームの傾動復帰により鋳型及び注湯容器を一体的に傾動復帰及び傾動させて注湯容器内の溶湯を鋳型へ注湯すると共に該注湯容器の傾動途中において該注湯容器を独自に注湯口を中心にして正逆回転させて注湯量を変化させ又は／及び注湯開始タイミングを変えることを特徴とする傾動注湯方法。
【請求項２】
傾動往復回動可能にされた傾動フレームに、湯口を有する鋳型を固定し、該鋳型を該傾動フレームと共に傾動させる工程と、該傾動された鋳型の湯口に対して注湯容器の注湯口が臨むと共に該注湯容器を前記鋳型の傾動復帰に対して同調傾動可能にして前記傾動フレームに連結する工程と、前記傾動フレームの傾動復帰により鋳型及び注湯容器を一体的に傾動復帰及び傾動させて注湯容器内の溶湯を鋳型へ注湯すると共に該注湯容器の傾動途中において該注湯容器を独自に前記注湯口を中心にして正逆回転させて注湯量を変化させ又は／及び注湯開始タイミングを変える工程と、からなることを特徴とする傾動注湯方法。
【請求項３】
前記傾動フレームの傾動復帰速度を途中変化させて鋳型の湯呑み量を変えることを特徴とする請求項１記載の傾動注湯方法。
【請求項４】
湯口Ｒを有する鋳型Ｗを固定すると共に傾動手段を介して傾動往復回転可能にされた傾動フレーム１０の外側部に、前記傾動された傾動フレーム１０に連結されて該傾動フレーム１０の回転軸と同軸回転される支持フレーム１５、１５Ａを設け、該支持フレーム１５、１５Ａには、該支持フレーム１５、１５Ａが前記傾動フレーム１０に連結された際に注湯口３０が前記鋳型Ｗの湯口Ｒに臨むように注湯容器２９を回転支持機構を介して支持し、前記回転支持機構が前記注湯容器２９を前記注湯口３０を中心にして独自に正逆回転させる機構にされていることを特徴とする傾動注湯装置。
【請求項５】
前記回転支持機構が駆動手段により作動される平行リンク機構３１であることを特徴とする請求項４記載の傾動注湯装置。
【請求項６】
前記駆動手段が電動シリンダ８であることを特徴とする請求項４記載の傾動注湯装置。
【請求項７】
前記回転支持機構の駆動手段が電動シリンダ２７であることを特徴とする請求項４記載の傾動注湯装置。
【請求項８】
前記駆動手段又は／及び回転支持機構の駆動手段が正逆回転サーボモータであることを特徴とする請求項４記載の傾動注湯装置。
【手続補正２】
【補正対象書類名】明細書
【補正対象項目名】０００４
【補正方法】変更
【補正の内容】
【０００４】
【課題を解決するための手段】
上記の目的を達成するために本発明における基本的な傾動注湯方法は、傾動フレームの傾動復帰により鋳型及び注湯容器を一体的に傾動復帰及び傾動させて注湯容器内の溶湯を鋳型へ注湯すると共に該注湯容器の傾動途中において該注湯容器を独自に注湯口を中心にして正逆回転させて注湯量を変化させ又は／及び注湯開始タイミングを変えることを特徴とするものであり、また本発明における基本的な傾動注湯装置は、湯口を有する鋳型を固定すると共に傾動手段を介して傾動復帰回転可能にされた傾動フレームの外側部に、前記傾動された傾動フレームに連結されて該傾動フレームの回転軸と同軸回転される支持フレームを設け、該支持フレームには、該支持フレームが前記傾動フレームに連結された際に注湯口が前記鋳型の湯口に臨むように注湯容器を回転支持機構を介して支持し、前記回転支持機構が前記注湯容器を前記注湯口を中心にして独自に正逆回転させる機構にされていることを特徴とするものである。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
親水性樹脂、エチレン性不飽和モノマと光重合開始剤を少なくとも含有する感光性樹脂組成物をシート状に加工し、３００〜５００ｎｍの光を照射して感光性樹脂組成物を硬化させた後、この硬化物にレーザー光を照射することを特徴とするレリーフの製造方法。
【請求項２】
感光性樹脂を３００〜５００ｎｍの光で光硬化させる機構および該機構により光硬化させた感光性樹脂にレーザー光を照射する機構からなることを特徴とするレリーフの製造装置。
【請求項３】
請求項１に記載の方法で製造したレリーフからなる印刷版材。
【手続補正２】
【補正対象書類名】明細書
【補正対象項目名】０００９
【補正方法】変更
【補正の内容】
【０００９】
すなわち、本発明は、親水性樹脂、エチレン性不飽和モノマと光重合開始剤を少なくとも含有する感光性樹脂組成物をシート状に加工し、３００〜５００ｎｍの光を照射して感光性樹脂組成物を硬化させた後、この硬化物にレーザー光を照射することによって凹凸のある像を形成するレリーフの製造方法、その製造装置およびそのレリーフを用いた印刷版材である。
【手続補正３】
【補正対象書類名】明細書
【補正対象項目名】００１１
【補正方法】変更
【補正の内容】
【００１１】
本発明の感光性樹脂組成物とは、３００〜５００ｎｍの光を照射することにより、光硬化する組成物のことである。このような感光性樹脂組成物は、一般に親水性樹脂、エチレン性不飽和モノマと光重合開始剤を少なくとも含有するものである。
【手続補正書】
【提出日】平成16年9月9日(2004.9.9)
【手続補正１】
【補正対象書類名】明細書
【補正対象項目名】０００３
【補正方法】変更
【補正の内容】
【０００３】
しかしながら、上記したプラテン摩耗防止構造は、プラテンが摩耗する代わりに包囲部材自体が研磨ベルトとの摺接により摩耗し、プラテンの摩耗を長期にわたって有効に防止できなかった。
【手続補正２】
【補正対象書類名】明細書
【補正対象項目名】００１３
【補正方法】変更
【補正の内容】
【００１３】
尚、駆動ロール１３はエアーシリンダー等の作動部材１４により定盤７側へ向かう方向及び定盤７から離間する方向へ移動可能に設けられ、案内ロール９・１１及び駆動ロール１３に張設された研磨ベルト１５を緊張状態及び弛緩状態にさせる。又、研磨ベルト１５を緊張状態及び弛緩状態にさせる構造としては、駆動ロール１３と少なくとも一方の案内ロール９（１１）間にテンションロール（図示せず）を設け、エアーシリンダー等（図示せず）によりテンションロールを研磨ベルト１５内面に押し付けて緊張させる構造としてもよい。
【手続補正３】
【補正対象書類名】明細書
【補正対象項目名】００３４
【補正方法】変更
【補正の内容】
【００３４】
上記した実施形態１と同様の研磨作業の進展に伴って総研磨時間が所要時間に達した際、又は各被研磨物５の総研磨長さが所要の長さになったとき、図３及び図４に示す場合と同様に研磨ベルト１５を走行させた状態又は研磨ベルト１５の走行を一旦停止させた状態或いは上記した何れかの状態（研磨ベルト１５を走行させた状態又は研磨ベルト１５の走行を一旦停止させた状態）で保持部材１７を復動して研磨ベルト１５に対する弾性部材２１の圧接を解除させた状態で間欠送り機構２９を駆動してシート状包囲部材３５を、弾性部材２１の押圧面幅に応じて間欠送りして研磨ベルト１５との摺接により摩耗したシート状包囲部材３５の箇所３５ａを弾性部材２１の押圧面から離脱させると共に非摩耗状態の新たな箇所３５ｂを弾性部材２１の押圧面に位置させて弾性部材の磨耗を防止する。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
ワイヤ電極と被加工物との間隙に所定の放電加工用の電圧を印加しつつ、予め設定された所定の加工経路に沿って前記ワイヤ電極と被加工物とを相対移動させると共に、前記間隙の電圧を検出し、前記検出された電圧と予め設定された基準電圧とを比較し、前記検出された電圧が前記基準電圧に一致するように前記加工経路に対して直交する方向にサーボさせることを特徴とするワイヤカット放電加工方法。
【請求項２】
一対のワイヤガイド間に張架されるワイヤ電極と被加工物との間隙に放電加工用の電圧を印加する電源装置と、前記間隙の電圧を検出する検出装置と、前記ワイヤ電極と前記被加工物とを相対的に移動させる相対移動装置と、予め設定された所定の加工経路に沿って前記ワイヤ電極と被加工物とを相対移動させると共に前記間隙の電圧に応じて前記所定の加工経路に対して直交する方向にサーボさせるように前記相対移動装置を制御する制御装置とを含んでなるワイヤカット放電加工装置。
【請求項３】
前記制御装置は、前記加工経路に基づく相対移動軌跡と前記直交する方向のサーボに基づく相対移動軌跡との合成された相対移動軌跡にしたがって前記ワイヤ電極と前記被加工物とを相対移動させるように前記相対移動装置を制御することを特徴とする請求項２記載のワイヤカット放電加工装置。
【手続補正２】
【補正対象書類名】明細書
【補正対象項目名】００１２
【補正方法】変更
【補正の内容】
【００１２】
【課題を解決するための手段】
上記問題点を解決するために、請求項１に規定する発明は、ワイヤ電極と被加工物との間隙に所定の放電加工用の電圧を印加しつつ、予め設定された所定の加工経路に沿って前記ワイヤ電極と被加工物とを相対移動させると共に、前記間隙の電圧を検出し、前記検出された電圧と予め設定された基準電圧とを比較し、前記検出された電圧が前記基準電圧に一致するように前記加工経路に対して直交する方向にサーボさせるようにしたものである。これにより、ワイヤ電極と被加工物の加工面とが過度に接近しようとすると間隙の電圧が下がってワイヤ電極を加工面から遠ざける方向に作用し、逆に、加工面から過度に遠ざかろうとすると間隙の電圧が上がってワイヤ電極を加工面に近付ける方向に作用する。結果的に、ワイヤ電極は被加工面から略一定の距離を維持しつつ、略加工経路に沿って相対移動して行くので、加工面にうねりが発生することを防止することができる。
【手続補正３】
【補正対象書類名】明細書
【補正対象項目名】００１４
【補正方法】変更
【補正の内容】
【００１４】
請求項２に規定する発明は、一対のワイヤガイド間に張架されるワイヤ電極と被加工物との間隙に放電加工用の電圧を印加する電源装置と、前記間隙の電圧を検出する検出装置と、前記ワイヤ電極と前記被加工物とを相対的に移動させる相対移動装置と、予め設定された所定の加工経路に沿って前記ワイヤ電極と被加工物とを相対移動させると共に前記間隙の電圧に応じて前記所定の加工経路に対して直交する方向にサーボさせるように前記相対移動装置を制御する制御装置とを備えるようにする。制御装置は、検出装置により検出した間隙の電圧に応じて、所定の加工経路に対して直交する方向にワイヤ電極を相対的にサーボさせる。例えば、前記制御装置は、前記加工経路に基づく相対移動軌跡と前記直交する方向のサーボに基づく相対移動軌跡との合成された相対移動軌跡にしたがって前記ワイヤ電極と前記被加工物とを相対移動させるように前記相対移動装置を制御する。
【手続補正４】
【補正対象書類名】明細書
【補正対象項目名】００４７
【補正方法】変更
【補正の内容】
【００４７】
【発明の効果】
以上説明したように、本発明のワイヤカット放電加工方法及びその装置によれば、次のように優れた作用効果を発揮することができる。加工間隙の電圧に応じて、加工経路に対して直交する方向へワイヤ電極を移動させて位置補償するようにしたので、被加工物の加工面にうねり（筋状の不良）が形成されることを防止することができる。特に、所望の仕上げ面粗度が１μｍＲｍａｘ程度以下の面粗度の加工において有益である。その結果、面粗度と形状精度が良好な加工品を得ることができ、ひいては磨き工程における負担を軽くするという効果を奏する。
【手続補正書】
【提出日】平成16年4月6日(2004.4.6)
【手続補正１】
【補正対象書類名】明細書
【補正対象項目名】００３７
【補正方法】変更
【補正の内容】
【００３７】
(3) 感熱記録層用塗液の調製
Ａ液１００部、Ｂ液５０部、軽質炭酸カルシウムの６０％分散液３０部、ポリビニルアルコール（重合度１７００、ケン化度９９％）の１０％水溶液６０部、固形濃度５０％のスチレン・ブタジエン系ラテックス５２部および水５０部からなる組成物を混合攪拌して感熱記録層用塗液を得た。


【手続補正２】
【補正対象書類名】明細書
【補正対象項目名】００４２
【補正方法】変更
【補正の内容】
【００４２】
実施例３
実施例１の感熱記録層用塗液の調製において、軽質炭酸カルシウムの６０％分散液３０部の代わりに無定形シリカの２０％分散液９０部を用い、感熱記録層表面のｐＨが６．７の感熱記録層を得た以外は、実施例１と同様にして感熱記録体を得た。


【手続補正３】
【補正対象書類名】明細書
【補正対象項目名】００４３
【補正方法】変更
【補正の内容】
【００４３】
実施例４
実施例１の感熱記録層用塗液の調製において、軽質炭酸カルシウムの６０％分散液３０部の代わりに炭酸マグネシウムの２０％分散液９０部を用い、感熱記録層表面のｐＨが９．４の感熱記録層を得た以外は、実施例１と同様にして感熱記録体を得た。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
プリントヘッドから出射される一連のインク滴の噴出におけるそれぞれのインク滴にぶつかると電気刺激が与えられる感知要素と、
前記感知要素に連結され、当該インク滴の噴出が前記プリントヘッドから出射されるときの周波数に適合した感度増幅器と、
当該インク滴の噴出が出射されるときの周波数において前記感度増幅器により生成される出力信号の振幅を決定し、当該振幅がそれぞれの噴出中に出射される当該インク滴の特性を示すようにする処理手段とを含む、インク滴検出器。
【請求項２】
前記処理手段は、前記出力信号に対してデジタル信号処理機能を実行することによって前記振幅を決定することを特徴とする請求項１に記載のインク滴検出器。
【請求項３】
前記インク滴の特性は、前記それぞれの噴出中にどのくらいのインク滴が出射されたかどうかであることを特徴とする請求項１に記載のインク滴検出器。
【請求項４】
前記インク滴の特性は、前記それぞれの噴出における前記インク滴の体積であることを特徴とする請求項１に記載のインク滴検出器。
【請求項５】
前記インク滴の特性は、前記それぞれの噴出における前記インク滴の速度であることを特徴とする請求項１に記載のインク滴検出器。
【請求項６】
前記処理手段は、前記出力信号をデジタル化してデータ配列を発生し、次に前記周波数を有する目標波形に当該データ配列を合わせることによって、前記振幅を決定することを特徴とする請求項１に記載のインク滴検出器。
【請求項７】
前記目標波形は、前記周波数を有する正弦波であることを特徴とする請求項６に記載のインク滴検出器。
【請求項８】
前記目標波形は、前記周波数を有する方形波であることを特徴とする請求項６に記載のインク滴検出器。
【請求項９】
前記目標波形は、前記感度増幅器の周波数応答に合う、経験的に導かれた波形である、ことを特徴とする請求項６に記載のインク滴検出器。
【請求項１０】
前記処理手段は、前記プリントヘッドを含むプリンタ内の既存のプロセッサと既存のアナログ−デジタル変換器とを含む請求項１に記載のインク滴検出器。
【請求項１１】
前記感知要素はインクつぼ内に収容されていることを特徴とする請求項１に記載のインク滴検出器。
【請求項１２】
前記感知要素は、前記プリントヘッドに対向して印字領域内に配置されていることを特徴とする請求項１に記載のインク滴検出器。